(57)【特許請求の範囲】
【請求項１】
ウォーキングポール１の上端部に装着されたグリップ３と該グリップ３の側方に設けられたストラップ６と結束バンド５ａ、５ｂ、５ｃを備え、該ストラップ６は該グリップ３の上部と下部及び中央部で結束バンド５ａ、５ｂ、５ｃにより固定されることにより２か所で親指以外の指４本分が入る空間７をグリップ３に沿って設けるようにストラップ６をグリップ３に取り付けられていることを特徴とするストラップ付ポールグリップ。
【発明の詳細な説明】
【技術分野】
【０００１】
本発明は、ポールを用いて行うウォーキングに使用するポールのストラップ付グリップに関する。
【背景技術】
【０００２】
ハイキングポール、トレッキングポール、ノルディックポール及びウォーキングポール等は、通常、その先端に、手によって握られるポールグリップを有している。ポールグリップ部分には偶発的に手から外れるのを避けるために、ハンドストラップが通常設けられており、該ハンドストラップを通してポールグリップを安定的に握ることができる。
【０００３】
該各種ポールは身長に合わせ様々な長さに調整し、また坂道の上り下りに合わせ様々な長さに調整する、即ち上りは短く、下りは長く調整する。それぞれの場合の要求を満たすために該ポールは通常直径の異なる２本の管で構成され、長さ調整の目的に応じて一方の管を他方の管に押し込んだり、押し出したりし適切な長さに固定することが出来るようになっている。
【０００４】
即ち、この目的のために、２本の管をポール長さに合わせ位置決めするための締め付け装置が管の繋部分に設けられているのが一般的である。
【先行技術文献】
【特許文献】
【０００５】
【特許文献１】特開２０１５−０５１０３０号公報
【特許文献２】特表２０１２−５１６１６６号公報
【特許文献３】再表２００７／１１４１６７号公報
【発明の概要】
【発明が解決しようとする課題】
【０００６】
しかし、これ等の従来のウォーキングポール等は、次のような解決しようとする課題がある。
【０００７】
通常直径の異なる２本の管および長さ調整用締め付け装置を設けているため、全体的に重たく、管部分の嵌め合い錐体および該装置の製作費も高くつく。
【０００８】
ウォーキング途中で坂道に遭遇すると、該装置を緩めたり締めたりの長さ調整を要し煩わしく面倒な操作になるとともに、無用な時間も掛かる、特に、高齢者にとって煩わしいことである。
【０００９】
また、管の嵌め合い錐体および締め付け装置が緩み事故の原因となり、メンテナンスが場合によっては必要である。
【００１０】
本発明は、このような背景技術に存在する課題を解決するウォーキングポールの提供を目的とする。
【課題を解決するための手段】
【００１１】
本発明は、ポール長さ調整用の直径の異なる２本の管部分および長さ調整用締め付け装置を用いないで、１本の管のみでポール長さを調整する。
【００１２】
即ち、グリップ３部分を長くし、ストラップ６をグリップ３に沿ってストラップ６の両端と中央を結束バンド５ａ、５ｂ、５ｃで固定し、グリップ３部分とストラップ６部分の間に親指以外の指４本の入る空間７を２か所設ける。
【００１３】
親指以外の４本の指がストラップ６を介してグリップ３のどの位置で握るかで、添付図の図３から図９に示す如く７通りの方法があり、その各々で有効ポール長が決まる。
【発明の効果】
【００１４】
請求項１記載の本発明の効果は、先行技術文献と比べ管部分の構造が径の違う２種類の管による２重構造がなく１本の管２であるので長さ調整装置が無くその構造が簡単であり、軽くて製作費も安価である。
【００１５】
空間７は親指以外の４本の指が入るだけの空間であるため図３から図９に示すようにどの位置においても該４本の指がストラップ６を介して安全にグリップ３を握るためグリップ３の軸方向に手が滑ることはない、即ち、握る位置によりポール１の有効長が決まる。
【００１６】
ポール１の長さ調整はどの位置でストラップ６を介してグリップ３を握るかにあるので、該操作に時間が掛からないし、煩わしさがない。即ち、坂道に遭遇した場合、グリップ３の位置を握り変えるだけで必要ポール１長が決まる。
【００１７】
ストラップ６はグリップ３に両端と中央部分で結束バンド５ａ、５ｂ、５ｃにより固定されているので、ストラップ６を介して安定的に握っている手からグリップ３を握るのを止めてもポール１が外れ地面に倒れることはない。
【００１８】
また、管２部分の嵌め合い錐体および締め付け装置がないため、メンテナンスが不要であり、偶発的な事故を防ぐことが出来安全である。
【図面の簡単な説明】
【００１９】
【図１】本発明によるポールの正面図
【図２】図１の側面図
【図３】指とポールグリップ及び有効ポール長L１の相対関係図
【図４】指とポールグリップ及び有効ポール長L２の相対関係図
【図５】指とポールグリップ及び有効ポール長L３の相対関係図
【図６】指とポールグリップ及び有効ポール長L４の相対関係図
【図７】指とポールグリップ及び有効ポール長L５の相対関係図
【図８】指とポールグリップ及び有効ポール長L６の相対関係図
【図９】指とポールグリップ及び有効ポール長L７の相対関係図
【発明を実施するための形態】
【００２０】
以下、該発明に係るストラップ付ポールグリップの好ましい実施形態を添付の図面に基づき説明する。
【実施例１】
【００２１】
図１は該発明にかかるストラップ６付ポール１の正面図で、グリップ３、ストラップ６、結束バンド５ａ、５ｂ、４ｃ、緩衝ゴム４および管２の相対関係を表示している。即ち、ストラップ６はグリップ３部分に両端と中央部分で結束バンド５ａ、５ｂ、５ｃにより固定されている。
【００２２】
図２は図１の側面図を表示している。ストラップ６とグリップ３と結束バンド５ａ、５ｂ、５ｃで構成される空間は親指以外の指４本分が入る空間７でグリップ３に沿って、２か所醸し出しているのが分かる。
【００２３】
図３は人差し指と中指の間にストラップ６を挟んでグリップ３を握るので４本の指がグリップ３の軸方向にずれる事がなく安全に有効ポール長が決まる。
【００２４】
図４は親指を除く４本の指が空間７の中にある状態でグリップ３を握るので４本の指がグリップ３の軸方向にずれる事がなく安全に有効ポール長が決まる。
【００２５】
図５は小指と薬指の間にストラップ６を挟んでグリップ３を握るので４本の指がグリップ３の軸方向にずれる事がなく安全に有効ポール長が決まる。
【００２６】
図６は薬指と中指の間にストラップ６を挟んでグリップ３を握るので４本の指がグリップ３の軸方向にずれる事がなく安全に有効ポール長が決まる。
【００２７】
図７は人差し指と中指の間にストラップ６を挟んでグリップ３を握るので４本の指がグリップ３の軸方向にずれる事がなく安全に有効ポール長が決まる。
【００２８】
図８は親指を除く４本の指が空間７の中にある状態でグリップ３を握るので４本の指がグリップ３の軸方向にずれる事がなく安全に有効ポール長が決まる。
【００２９】
図９は小指と薬指の間にストラップ６を挟んでグリップ３を握るので４本の指がグリップ３の軸方向にずれる事がなく安全に有効ポール長が決まる。
【産業上の利用可能性】
【００３０】
ハイキングポール、トレッキングポール、ノルディックポール及び歩行用杖等の用途にも幅広く適用できる。
【符号の説明】
【００３１】
１  ウォーキングポール
２  管
３  グリップ
４  緩衝ゴム
５a  結束バンド１
５b  結束バンド２
５c  結束バンド３
６  ストラップ
７  空間
【要約】
【課題】
長さ調整可能なウォーキングポール１に関するもので、従来のポールは管の二重構造及び機械的装置により長さ調整されるが、機械構造であるため全体的に重たく、長さ調整が煩わしく面倒な操作になるとともに無用な時間も掛かる、特に、高齢者にとって煩わしい。
【解決手段】
本発明は、ウォーキングポール１の上端部に装着されたグリップ３と該グリップ３の側方に設けられたストラップ６と結束バンド５ａ、５ｂ、５ｃを備え、該ストラップ６と該グリップ３で形成された２か所の空間７部の握る位置により有効ポール長が安全に選択できる。
【選択図】図１【図１】
0005869721.tif 000002
【図２】
0005869721.tif 000003
【図３】
0005869721.tif 000004
【図４】
0005869721.tif 000005
【図５】
0005869721.tif 000006
【図６】
0005869721.tif 000007
【図７】
0005869721.tif 000008
【図８】
0005869721.tif 000009
【図９】
0005869721.tif 000010